(57)【要約】【課題】相隣なる金属製パネル要素の隣接端縁相互間が金属製ジョイントを介して長期間に亘り強固に結合可能とし且つその結合作業を簡便化する。その上、このジョイントの一部を二次樋として長期間活用可能とし、且つその外観体裁を良好にする。【解決手段】矩形状の金属製パネル要素Ｐと同一又は同種の金属よりなるジョイントＪ１が上面開放の樋状部Ｔを一体に有して、該隣接端縁ｅに沿って直線状に形成されており、相隣なるパネル要素Ｐの隣接端縁ｅには、該隣接端縁ｅに沿って延びる係止部Ｐｆｋが、また前記ジョイントＪ１の、該隣接端縁ｅに対向する側部には、該隣接端縁ｅに沿う方向に抜差可能として前記係止部Ｐｆｋに係止させる被係止部Ｊｖがそれぞれ設けられていて、それら係止部Ｐｆｋ及び被係止部Ｊｖ相互の係止により前記ジョイントＪ１を介して相隣なるパネル要素Ｐ間が結合される。【選択図】    図４
2015040466.tif 000002
【特許請求の範囲】
【請求項１】
屋外で所定高さに設置される、雨避け又は日除けのための屋外用パネル（ＰＡ）において、
矩形状に形成された複数の金属製パネル要素（Ｐ）と、これらパネル要素（Ｐ）を相互に一列に配列した状態で相隣なるパネル要素（Ｐ）の隣接端縁（ｅ）相互を接続する、該パネル要素（Ｐ）と同一又は同種の金属よりなるジョイント（Ｊ１）とを備え、
前記ジョイント（Ｊ１）は、前記相隣なるパネル要素（Ｐ）の隣接端縁（ｅ）相互の隙間より落下しようとする水を受ける上面開放の樋状部（Ｔ１）を一体に有して、該隣接端縁（ｅ）に沿って直線状に形成されており、
前記相隣なるパネル要素（Ｐ）の隣接端縁（ｅ）には、該隣接端縁（ｅ）に沿って延びる係止部（Ｐｆｋ）が、また前記ジョイント（Ｊ１）の、該隣接端縁（ｅ）に対向する側部には、該隣接端縁（ｅ）に沿う方向に抜差可能として前記係止部（Ｐｆｋ）に係止させる被係止部（Ｊｖ）がそれぞれ設けられていて、それら係止部（Ｐｆｋ）及び被係止部（Ｊｖ）相互の係止により前記ジョイント（Ｊ１）を介して前記相隣なるパネル要素（Ｐ）間が結合されることを特徴とする、屋外用パネル。
【請求項２】
屋外で所定高さに設置される、雨避け又は日除けのための屋外用パネル（ＰＢ）において、
矩形状に形成された複数の金属製パネル要素（Ｐ）と、これらパネル要素（Ｐ）を相互に縦横に配列した状態で相隣なるパネル要素（Ｐ）の隣接端縁（ｅ）相互を接続する、該パネル要素（Ｐ）と同一又は同種の金属よりなるジョイント（Ｊ１，Ｊ２）とを備え、
前記ジョイント（Ｊ１，Ｊ２）は、前記相隣なるパネル要素（Ｐ）の隣接端縁（ｅ）相互の隙間より落下しようとする水を受ける上面開放の樋状部（Ｔ１，Ｔ２）を一体に有して、該隣接端縁（ｅ）に沿って直線状に形成されており、
前記相隣なるパネル要素（Ｐ）の隣接端縁（ｅ）には、該隣接端縁（ｅ）に沿って延びる係止部（Ｐｆｋ）が、また前記ジョイント（Ｊ１，Ｊ２）の、該隣接端縁（ｅ）に対向する側部には、該隣接端縁（ｅ）に沿う方向に抜差可能として前記係止部（Ｐｆｋ）に係止させる被係止部（Ｊｖ）がそれぞれ設けられていて、それら係止部（Ｐｆｋ）及び被係止部（Ｊｖ）相互の係止により前記ジョイント（Ｊ１，Ｊ２）を介して前記相隣なるパネル要素（Ｐ）間が結合され、
前記ジョイント（Ｊ１，Ｊ２）には、縦横に配列された４個の前記パネル要素（Ｐ）のうち横方向に並ぶ２個のパネル要素（Ｐ）の隣接端縁（ｅ）間を結合する第１のジョイント（Ｊ１）と、縦方向に並ぶ２個のパネル要素（Ｐ）の隣接端縁（ｅ）間を結合する第２のジョイント（Ｊ２）とが含まれ、
前記第１，第２のジョイント（Ｊ１，Ｊ２）の前記樋状部（Ｔ１，Ｔ２）には高低差が設定されていて、その両ジョイント（Ｊ１，Ｊ２）相互の交差部（Ｘ）において高い方の樋状部（Ｔ２）が低い方の樋状部（Ｔ１）の真上で途切れていることを特徴とする、屋外用パネル。
【請求項３】
前記第１のジョイント（Ｊ１）は、前記被係止部を構成し又は一体に有する左右一対の鉛直板部（Ｊｖ）と、その両鉛直板部（Ｊｖ）の中間部間を一体に結合する水平板部（Ｊｈ）とを有する横断面Ｈ字状の枠体より構成されると共に、その水平板部（Ｊｈ）が両鉛直板部（Ｊｖ）の上下方向中間点より上下一方側にオフセット配置されていて、その水平板部（Ｊｈ）と両鉛直板部（Ｊｖ）の上半部とで該第１のジョイント（Ｊ１）の前記樋状部（Ｔ１）が構成され、
前記第２のジョイント（Ｊ２）は、前記横断面Ｈ字状の枠体を上下反転したもので構成されていて、その水平板部（Ｊｈ）と両鉛直板部（Ｊｖ）の上半部とで該第２のジョイント（Ｊ２）の前記樋状部（Ｔ２）が構成されることを特徴とする、請求項２に記載の屋外用パネル。
【請求項４】
前記パネル要素（Ｐ）は、互いに一定間隔をおいて平行する上下一対の矩形状平板（Ｐ１，Ｐ２）と、その両平板（Ｐ１，Ｐ２）の四方の側縁部間に介装されてその間を一体的に結合する４個の補強縁枠（Ｐｆ）とを備え、各々の前記補強縁枠（Ｐｆ）は押出し又は引抜きにより成形され且つその成形により前記係止部（Ｐｆｋ）が該補強縁枠（Ｐｆ）に一体に形成され、パネル外周に位置する複数の前記補強縁枠（Ｐｆ）の少なくとも一部に、該補強縁枠（Ｐｆ）の外側端面（ｅ′）を覆う端板（Ｅ，Ｅ′，Ｅ″）が結合されることを特徴とする、請求項１〜３の何れか１項に記載の屋外用パネル。
【請求項５】
前記相隣なるパネル要素（Ｐ）の隣接端縁（ｅ）の上部相互間には、その相互間を塞ぐシール手段（Ｓ）が前記樋状部（Ｔ１，Ｔ２）よりも上方において設けられ、前記シール手段（Ｓ）を漏れ出た水を前記樋状部（Ｔ１，Ｔ２）で受けるようにしたことを特徴とする、請求項１〜４の何れか１項に記載の屋外用パネル。
【発明の詳細な説明】
【技術分野】
【０００１】
本発明は、屋外で所定高さに設置される、雨避け又は日除けのための屋外用パネル、特に各々矩形状に形成された複数の金属製パネル要素で分割構成されたパネルに関するものである。
【背景技術】
【０００２】
上記パネルは、住宅やビルのエントランスの庇、渡り廊下の屋根、バス停の屋根、公園等での休憩所の屋根等として広く使用されている。
【０００３】
従来、上記パネルを構成する複数の金属製パネル要素は、建物、又は地面から起立する支柱等に固定した支持枠に個別に結合されており、その結合状態で相隣なるパネル要素の隣接端縁相互に生じる間隙を、その間隙に設けた樋部材で塞ぎ、更にその樋部材の上方空間にコーキング材等のシール手段を設けて、前記間隙から下方への雨水等の落下を防止できるようにしている（下記特許文献１を参照）
【先行技術文献】
【特許文献】
【０００４】
【特許文献１】特開２００５−２９０８９７号公報
【発明の概要】
【発明が解決しようとする課題】
【０００５】
上記樋部材は、金属製パネル要素とは全く異種材料であって熱膨張率も異なり剛性強度も劣るゴム又は合成樹脂材で形成されているため、相隣なるパネル要素相互を強固に一体的に結合し得るジョイント手段としては利用できないばかりか、紫外線等に因る経年劣化でゴム又は合成樹脂材が変質して所期の樋機能を早期に果たし得なくなり、頻繁な交換、延いては維持コストの低下を余儀なくされる虞れがある。また金属製パネル要素とは異質に見えて色合いも異なるゴム又は合成樹脂材製の樋部材が、パネル下方から浮き出して見えてしまうため、意匠的にも違和感を感じさせて商品価値を損なう虞れがある。
【０００６】
本発明は、上記に鑑み提案されたもので、従来構造の上記課題を簡単な構造で一挙に解決し得る新規な屋外用パネルを提供することを目的とする。
【課題を解決するための手段】
【０００７】
前記目的を達成するために、請求項１の発明は、屋外で所定高さに設置される、雨避け又は日除けのための屋外用パネルにおいて、矩形状に形成された複数の金属製パネル要素と、これらパネル要素を相互に一列に配列した状態で相隣なるパネル要素の隣接端縁相互を接続する、該パネル要素と同一又は同種の金属よりなるジョイントとを備え、前記ジョイントは、前記相隣なるパネル要素の隣接端縁相互の隙間より落下しようとする水を受ける上面開放の樋状部を一体に有して、該隣接端縁に沿って直線状に形成されており、前記相隣なるパネル要素の隣接端縁には、該隣接端縁に沿って延びる係止部が、また前記ジョイントの、該隣接端縁に対向する側部には、該隣接端縁に沿う方向に抜差可能として前記係止部に係止させる被係止部がそれぞれ設けられていて、それら係止部及び被係止部相互の係止により前記ジョイントを介して前記相隣なるパネル要素間が結合されることを特徴とする。
【０００８】
また請求項２の発明は、屋外で所定高さに設置される、雨避け又は日除けのための屋外用パネルにおいて、矩形状に形成された複数の金属製パネル要素と、これらパネル要素を相互に縦横に配列した状態で相隣なるパネル要素の隣接端縁相互を接続する、該パネル要素と同一又は同種の金属よりなるジョイントとを備え、前記ジョイントは、前記相隣なるパネル要素の隣接端縁相互の隙間より落下しようとする水を受ける上面開放の樋状部を一体に有して、該隣接端縁に沿って直線状に形成されており、前記相隣なるパネル要素の隣接端縁には、該隣接端縁に沿って延びる係止部が、また前記ジョイントの、該隣接端縁に対向する側部には、該隣接端縁に沿う方向に抜差可能として前記係止部に係止させる被係止部がそれぞれ設けられていて、それら係止部及び被係止部相互の係止により前記ジョイントを介して前記相隣なるパネル要素間が結合され、前記ジョイントには、縦横に配列された４個の前記パネル要素のうち横方向に並ぶ２個のパネル要素の隣接端縁間を結合する第１のジョイントと、縦方向に並ぶ２個のパネル要素の隣接端縁間を結合する第２のジョイントとが含まれ、前記第１，第２のジョイントの前記樋状部には高低差が設定されていて、その両ジョイント相互の交差部において高い方の樋状部が低い方の樋状部の真上で途切れていることを特徴とする。
【０００９】
また請求項３の発明は、前記請求項２の発明の前記特徴に加えて、前記第１のジョイントは、前記被係止部を構成し又は一体に有する左右一対の鉛直板部と、その両鉛直板部の中間部間を一体に結合する水平板部とを有する横断面Ｈ字状の枠体より構成されると共に、その水平板部が両鉛直板部の上下方向中間点より上下一方側にオフセット配置されていて、その水平板部と両鉛直板部の上半部とで該第１のジョイントの前記樋状部が構成され、前記第２のジョイントは、前記横断面Ｈ字状の枠体を上下反転したもので構成されていて、その水平板部と両鉛直板部の上半部とで該第２のジョイントの前記樋状部が構成されることを特徴とする。
【００１０】
また請求項４の発明は、前記請求項１〜３の発明の前記特徴に加えて、前記パネル要素は、互いに一定間隔をおいて平行する上下一対の矩形状平板と、その両平板の四方の側縁部間に介装されてその間を一体的に結合する４個の補強縁枠とを備え、各々の前記補強縁枠は押出し又は引抜きにより成形され且つその成形により前記係止部が該補強縁枠に一体に形成され、パネル外周に位置する複数の前記補強縁枠の少なくとも一部に、該補強縁枠の外側端面を覆う端板が結合されることを特徴とする。
【００１１】
また請求項５の発明は、前記請求項１〜４の発明の前記特徴に加えて、前記相隣なるパネル要素の隣接端縁の上部相互間には、その相互間を塞ぐシール手段が前記樋状部よりも上方において設けられ、前記シール手段を漏れ出た水を前記樋状部で受けるようにしたことを特徴とする。
【００１２】
尚、本発明において、「パネル要素と同一又は同種の金属」とは、パネル要素と同一組成の金属であるか、或いはパネル要素と大部分の組成が同じである同系の合金であることを意味している。
【発明の効果】
【００１３】
本発明によれば、相隣なる金属製パネル要素の隣接端縁相互を接続する、該パネル要素と同一又は同種の金属よりなるジョイントを備え、このジョイントは、上面開放の樋状部を一体に有して該隣接端縁に沿って直線状に形成されており、相隣なるパネル要素の隣接端縁には、該隣接端縁に沿って延びる係止部が、またジョイントの、該隣接端縁に対向する側部には、該隣接端縁に沿う方向に抜差可能として前記係止部に係止させる被係止部がそれぞれ設けられていて、それら係止部及び被係止部相互の係止によりジョイントを介して相隣なるパネル要素間が結合されるので、相隣なる金属製パネル要素の隣接端縁相互間が、該パネル要素と同一又は同種の金属よりなるジョイントを介して長期間に亘り強固に一体的に結合可能となり、維持コストの低減に寄与することができ、しかもその結合に際しては、ジョイントの被係止部をパネル側の係止部にその一端側から差込むだけでよく、結合作業が簡便である。その上、このジョイントの一部（樋状部）を、相隣なる金属製パネル要素の隣接端縁相互間の間隙から水が漏れ落ちるのを防止する二次樋として長期間に亘り有効活用できる。またこのジョイントは、パネル要素と同一又は同種の金属より成ることから、パネル下方から浮き出て違和感を感じさせる虞れはなく、商品の外観体裁が良好で商品価値の向上に寄与することができる。そして、このようにパネル要素相互間の結合手段であるジョイントが、上記した二次樋の機能を兼備することで、それだけ構造簡素化が図られる。
【００１４】
また特に請求項２の発明によれば、縦横に配列される複数の金属製パネル要素間を前記ジョイントで強固に一体的に結合可能となる。しかもこのジョイントには、縦横に配列された４個のパネル要素のうち横方向に並ぶ２個のパネル要素の隣接端縁間を結合する第１のジョイントと、縦方向に並ぶ２個のパネル要素の隣接端縁間を結合する第２のジョイントとが含まれ、それら第１，第２のジョイントの樋状部には高低差が設定されていて、その両ジョイント相互の交差部において高い方の樋状部が低い方の樋状部の真上で途切れているので、第１，第２ジョイントが縦横に延びていて相互の交差部分が有っても、それら第１，第２ジョイントの各樋状部を簡単な構造で支障なく接続可能となる。
【００１５】
また特に請求項３の発明によれば、第１のジョイントは、前記被係止部を構成し又は一体に有する左右一対の鉛直板部と、その両鉛直板部の中間部間を一体に結合する水平板部とを有する横断面Ｈ字状の枠体より構成されると共に、その水平板部が両鉛直板部の上下方向中間点より上下一方側にオフセット配置されていて、その水平板部と両鉛直板部の上半部とで該第１のジョイントの前記樋状部が構成され、第２のジョイントは、前記横断面Ｈ字状の枠体を上下反転したもので構成されていて、その水平板部と両鉛直板部の上半部とで該第２のジョイントの前記樋状部が構成されるので、同一構造のＨ字状枠体を第１，第２ジョイントに共通に使用可能となり、それだけコスト節減に寄与し得る。
【００１６】
また特に請求項４の発明によれば、パネル要素は、互いに一定間隔をおいて平行する上下一対の矩形状平板と、その両平板の四方の側縁部間に介装されてその間を一体的に結合する４個の補強縁枠とを備え、各々の補強縁枠は押出し又は引抜きにより成形され且つその成形により前記係止部が該補強縁枠に一体に形成され、パネル外周に位置する複数の補強縁枠の少なくとも一部に、該補強縁枠の外側端面を覆う端板が結合されるので、係止部を有して断面形状が複雑となる補強縁部を押出し又は引抜き成形により比較的容易に且つ精度よく成形可能となる。またパネル外周位置となる補強縁枠を、前記係止部も含めて端板で体裁よく被覆可能となる。
【００１７】
また特に請求項５の発明によれば、相隣なるパネル要素の隣接端縁の上部相互間には、その相互間を塞ぐシール手段が前記樋状部よりも上方において設けられ、該シール手段を漏れ出た水を樋状部で受けるようにしたので、その樋状部は、上方のシール手段のシール機能を補う二次樋として有効に機能し、パネル下方への水漏れ防止効果を長期間有効に発揮することができる。
【図面の簡単な説明】
【００１８】
【図１】本発明の第１実施形態に係る屋外用パネル（複数のパネル要素を一列に配列）を支柱で支えた設置例を示す全体斜視図
【図２】前記第１実施形態の平面図（図１の２線矢視図）
【図３】前記第１実施形態の側面図（図２の３−３線矢視図）
【図４】図２の４−４線拡大断面図
【図５】図４の５−５線断面図
【図６】図２の６−６線拡大断面図
【図７】前記パネルの外周部を示す拡大斜視図（図１の７矢視部の拡大斜視図）
【図８】ジョイントの単体斜視図
【図９】（ａ）は端板の第１変形例を示す図６対応断面図、（ｂ）は端板の第２変形例を示す図６対応断面図
【図１０】本発明の第２実施形態に係る屋外用パネル（複数のパネル要素を縦横に配列）を支柱で支えた設置例を示す全体斜視図（図１対応斜視図）
【図１１】前記第２実施形態の平面図（図１０の１１線矢視図）
【図１２】図１１の１２−１２線拡大断面図（図４対応断面図）
【図１３】図１１の１３−１３線拡大断面図
【図１４】第１，第２ジョイントの交差部を説明する斜視図であり、（Ａ）は第１，第２ジョイント相互の結合状態を示す組立斜視図、（Ｂ）は分解斜視図
【発明を実施するための形態】
【００１９】
本発明の実施形態を、添付図面により以下に具体的に説明する。
【００２０】
先ず、図１〜図９を参照して、本発明の第１実施形態を説明する。図１〜図３に示すように、雨避け又は日除けのための屋外用パネルＰＡは、屋外で所定高さに設置されるものであって、設置面としての地面Ｇに立設され且つ互いに並列する複数の支柱１に固定、支持される。
【００２１】
各支柱１は、鉛直の支柱本体１ａと、その上端に連設した水平の支持枠１ｂとを備えており、その支持枠１ｂの下部に突設した支持部１ｂｓに、支持ブラケット２を介してパネルＰＡが支持される。
【００２２】
パネルＰＡは、矩形状に形成された複数の金属製のパネル要素Ｐと、これらパネル要素Ｐを相互に一列に配列した状態で相隣なるパネル要素Ｐの隣接端縁ｅ相互を接続する、該パネル要素Ｐと同一又は同種の金属よりなるジョイントＪ１とを備える。尚、ジョイントＪ１は、前記支持枠１ｂの直下に在って該支持枠１ｂに沿って水平に配置される。
【００２３】
各パネル要素Ｐは、金属、例えばアルミ又はアルミ合金で矩形状の閉断面に形成されて互いに一定間隔をおいて平行する上下一対の矩形状平板Ｐ１，Ｐ２と、同じくアルミ又はアルミ合金で形成されてその両平板Ｐ１，Ｐ２の四方の側縁部間に介装されてその間を一体的に結合する４個の補強縁枠Ｐｆとより構成される。また両平板Ｐ１，Ｐ２間には、金属又は合成樹脂よりなる帯板材を適宜形状（例えばハニカム状、千鳥状、碁盤の目状等）に配列、交差させた格子状の補強コア材３が必要に応じて一体的に介装されており、この補強コア材３を内蔵させることにより、パイプＰＡに対し十分な剛性強度を付与することができる。尚、上下の平板Ｐ１，Ｐ２と各補強縁枠Ｐｆとの結合は、溶接、ネジ止め、かしめ、接着等の適宜の結合手段が使用される。
【００２４】
支柱１の前記支持枠１ｂより垂下する支持部１ｂｓの両側には、背中合せに配列した断面Ｌ字状のブラケット半体２ａの上部がボルトｂ１及びナットｎ１で結合される。それらブラケット半体２ａの下部には、相隣なるパネル要素Ｐの隣接端部の上部がスペーサ４を介して重合され、且つボルトｂ２及びナットｎ２により結合される。尚、ナットｎ２は、補強縁枠Ｐｆの上部壁部内壁に抜差可能に嵌合、係止された帯板５に溶接等で固着されている。
【００２５】
また相隣なるパネル要素Ｐの隣接端縁ｅ（即ち互いに隣接する補強縁枠Ｐｆの相対向面）の上部間には、帯板状のカバー板６が橋架、支持される。そして、そのカバー板６上には、相隣なる補強縁枠Ｐｆ間に跨がるようにしてゴムカバーＳａが配設され、更にそのゴムカバーＳａと補強縁枠Ｐｆの上端部外側面との間に、その間をシールするシール部材Ｓｂが介装され、それらゴムカバーＳａ及びシール部材Ｓｂにより本発明のシール手段Ｓが構成される。尚、上記シール手段Ｓに代えて、コーキング材を充填、固化させるようにしてもよい。
【００２６】
前記補強縁枠Ｐｆはアルミ又はアルミ合金材に対する押出し又は引抜きにより一体成形される。そして、その一体成形と同時に、前記ジョイントＪ１に一体に設けた被係止部（後述する鉛直板部Ｊｖ）をその長手方向に抜差可能に嵌合、係止させるための上下一対の係止爪片７よりなる係止部Ｐｆｋが補強縁枠Ｐｆの外側面に一体成形される。
【００２７】
またパネルＰＡの外周に位置する複数の補強縁枠Ｐｆは、それらの前記係止部Ｐｆｋを含む外側端面ｅ′が端板Ｅで体裁よく被覆されており、その端板Ｅは、少なくとも一部の補強縁枠Ｐｆにビスｂ３で着脱可能に結合される。そして、その補強縁枠Ｐｆの上面と端板Ｅの上端部間の隙間には、その間を必要に応じてシールすべくゴムカバーＳａ′が配設され、更にそのゴムカバーＳａ′と補強縁枠Ｐｆの外側端面ｅ′の上端部との間に、その間をシールするシール部材Ｓｂ′が介装され、それらゴムカバーＳａ′及びシール部材Ｓｂ′によりシール手段Ｓ′が構成される。尚、上記シール手段Ｓ′に代えて、コーキング材を充填、固化させるようにしてもよい。
【００２８】
前記端板Ｅは、補強縁枠Ｐｆの、係止部Ｐｆｋを含む外側端面ｅ′を体裁よく覆えるものであればよく、種々の断面形状のバリエーションが可能である。その端板の変形例として、図９の（Ａ）には、横断面三角形状の閉断面構造の端板Ｅ′が例示され、また（Ｂ）には、上下端に外向きフランジを連設した端板Ｅ″が例示される。尚、補強縁枠Ｐｆと端板Ｅ，Ｅ′，Ｅ″との結合は、図示例のネジ止めによる他、溶接、かしめ、接着等の適宜の結合手段が使用可能である。
【００２９】
また前記ジョイントＪ１は、相隣なるパネル要素Ｐの隣接端縁ｅ相互の隙間（即ち前記シール手段Ｓでシールすべき部位）より漏洩、落下しようとする雨水等を下側から受ける上面開放の横断面Ｕ字状又はコ字状の樋状部Ｔを一体に有して、該隣接端縁ｅに沿って直線状に形成される。
【００３０】
特に本実施形態のジョイントＪ１は、左右一対の鉛直板部Ｊｖと、その両鉛直板部Ｊｖの中間部間を一体に結合する水平板部Ｊｈとを有する横断面Ｈ字状の枠体より構成されており、その鉛直板部ＪｖがジョイントＪ１側の被係止部を構成する。そして、前記水平板部Ｊｈは、両鉛直板部Ｊｖの上下方向中間点より上下一方側にオフセット配置されており、その水平板部Ｊｈと両鉛直板部Ｊｖの上半部とでジョイントＪ１の前記樋状部Ｔ１が構成される。
【００３１】
而して、前記補強縁枠Ｐｆの外側面に突設した前記係止部Ｐｆｋは、相隣なるパネル要素Ｐの隣接端縁ｅにおいて、その隣接端縁ｅに沿うように直線状に延びている。そして、この係止部Ｐｆｋに対しては、ジョイントＪ１の被係止部（即ち該隣接端縁ｅに対向する側部を構成する前記鉛直板部Ｊｖ）が該隣接端縁ｅに沿う方向に抜差可能として嵌合、係止され、その嵌合、係止により、ジョイントＪ１を介して相隣なるパネル要素Ｐ間が一体的に結合される。
【００３２】
またジョイントＪ１の前記被係止部としての鉛直板部Ｊｖの外面には、そのジョイントＪ１の長手方向に直線状に延びる凹溝９が、水平板部Ｊｈに対応した位置において形成される。そして、ジョイントＪ１の補強縁枠Ｐｆ（即ち係止部Ｐｆｋ）からの抜け出しは、ジョイントＪ１及び補強縁枠Ｐｆの長手方向両端において前記凹溝９と補強縁枠Ｐｆとの間に形成される開口部にビスｂ４を外側方よりねじ込むことで、機械的に阻止される。これにより、ジョイントＪ１の結合機能、延いてはパネルＰＡの組立状態が長期間有効に維持される。
【００３３】
次に本第１実施形態の作用を説明する。本実施形態においては、相隣なる金属製パネル要素Ｐの隣接端縁ｅ相互を接続する、該パネル要素Ｐと同一又は同種の金属よりなるジョイントＪ１を備えており、このジョイントＪ１は、上面開放の樋状部を一体に有して該隣接端縁ｅに沿って直線状に形成されている。そして、相隣なるパネル要素Ｐの隣接端縁ｅには、該隣接端縁ｅに沿って延びる係止部Ｐｆｋが、またジョイントＪ１の、該隣接端縁ｅに対向する側部には、該隣接端縁ｅに沿う方向に抜差可能として前記係止部Ｐｆｋに係止させる被係止部としての鉛直板部Ｊｖがそれぞれ設けられていて、それら係止部Ｐｆｋ及び被係止部Ｊｖ相互の係止によりジョイントＪ１を介して相隣なるパネル要素Ｐ間が結合されている。
【００３４】
そのため、相隣なる金属製パネル要素Ｐの隣接端縁ｅ相互間が、該パネル要素Ｐと同一又は同種の金属よりなるジョイントＪ１を介して長期間に亘り強固に一体的に結合可能となり、維持コストの低減が図られる。しかもその結合に際しては、ジョイントＪ１の被係止部をパネル側の係止部Ｐｆｋにその一端側から差込むだけでよく、結合作業が頗る簡便である。しかもその差込み後は、ジョイントＪ１の抜け出しが、ジョイントＪ１及び補強縁枠Ｐｆの長手方向両端において凹溝９と補強縁枠Ｐｆとの間の開口部に螺挿されるビスｂ４により阻止されるため、ジョイントＪ１によるパネル要素Ｐ相互間の結合状態が維持される。
【００３５】
その上、このジョイントＪ１の一部（樋状部Ｔ）を、相隣なる金属製パネル要素Ｐの隣接端縁ｅ相互間の間隙から水が漏れ落ちるのを防止する二次樋として長期間に亘り有効活用できる。しかも、このジョイントＪ１は、パネル要素Ｐと同一又は同種の金属より成ることから、パネルＰＡ下方から浮き出て違和感を感じさせる虞れはなく、商品の外観体裁が良好で商品価値の向上に寄与することができる。そして、このようにパネル要素Ｐ相互間の結合手段であるジョイントＪ１が、上記した二次樋Ｔの機能を兼備することで、それだけ構造簡素化が図られる。
【００３６】
また特に、パネル要素Ｐは、互いに一定間隔をおいて平行する上下一対の矩形状平板Ｐ１，Ｐ２と、その両平板Ｐ１，Ｐ２の四方の側縁部間に介装されてその間を一体的に結合する４個の補強縁枠Ｐｆとを備えており、各々の補強縁枠Ｐｆは、構成金属材料の押出し又は引抜きにより成形され且つその成形により前記係止部Ｐｆｋが該補強縁枠Ｐｆに一体に形成され、パネル外周に位置する複数の補強縁枠Ｐｆの少なくとも一部に、該補強縁枠Ｐの外側端面ｅ′を覆う端板Ｅが結合されている。そのため、前記係止部Ｐｆｋを有して断面形状が複雑となる補強縁部Ｐｆを押出し又は引抜き成形により比較的容易に且つ精度よく成形可能となる。またパネル外周位置となる補強縁枠Ｐｆの外側端面ｅ′を、前記係止部Ｐｆｋも含めて端板Ｅで体裁よく被覆可能となる。
【００３７】
さらに相隣なるパネル要素Ｐの隣接端縁ｅの上部相互間には、その相互間を塞ぐシール手段Ｓが前記樋状部Ｔよりも上方において設けられ、該シール手段Ｓを漏れ出た水が樋状部Ｔで受けられるため、その樋状部Ｔは、上方のシール手段Ｓのシール機能を補う二次樋として有効に機能し、パネル下方への水漏れ防止効果を長期間有効に発揮することができる。そして、この樋状部Ｔで受けられた雨水は、樋状部Ｔの長手方向両端まで流れた後、ジョイントＪと端板Ｅとの隙間からパネル直下に滴下する。
【００３８】
尚、図示はしないが、必要に応じてパネルＰＡの側縁部に、その側縁部に沿って延びる外付け樋を設置して、この外付け樋と、これに接続した配管（図示せず）とで、設置面Ｇの所望の排水場所に雨水を排出させるようにしてもよく、その場合には、パネルＰＡ下方に居る人に、樋状部Ｔからの滴下雨水が直接掛かる心配がない。
【００３９】
次に図１０〜図１４を参照して、本発明の第２実施形態を説明する。本実施形態の屋外用パネルＰＢは、矩形状に形成された複数の金属製パネル要素Ｐと、これらパネル要素Ｐを特に縦横に配列した状態で相隣なるパネル要素Ｐの隣接端縁ｅ相互を接続する、該パネル要素Ｐと同一又は同種の金属よりなるジョイントＪ１，Ｊ２とを備える。そして、それらジョイントＪ１，Ｊ２には、縦横に配列された４個のパネル要素Ｐのうち縦方向に並ぶ２個のパネル要素Ｐの隣接端縁ｅ間を結合する第１のジョイントＪ１と、横方向に並ぶ２個のパネル要素Ｐの隣接端縁ｅ間を結合する第２のジョイントＪ２とが含まれる。
【００４０】
縦横に延びる第１，第２のジョイントＪ１，Ｊ２の前記樋状部Ｔ１，Ｔ２には高低差が設定されていて、その両ジョイントＪ１，Ｊ２相互の交差部Ｘにおいて高い方の樋状部Ｔ２を有するジョイントＪ２が、低い方の樋状部Ｔ１を有するジョイントＪ１を避けるように途切れている。従って、その高い方の樋状部Ｔ２は、低い方の樋状部Ｔ１の真上で途切れる配置形態となり、低い方の樋状部Ｔ１を有するジョイントＪ１には、その鉛直板部Ｊｖにおいて、高い方の樋状部Ｔ２（水平板部Ｊｈ）の端部を嵌合させるようにして受入れる切欠き部１０が形成される。尚、本実施形態では、前記交差部Ｘにおいて第１，第２のジョイントＪ１，Ｊ２の相互間を溶接、接着等の結合手段で結合したものを示したが、その両ジョイントＪ１，Ｊ２相互の交差部Ｘにおける結合を省略することも可能である。
【００４１】
而して、縦方向に並ぶパネル要素Ｐ相互を結合する第１のジョイントＪ１は、前記実施形態と同様、左右一対の鉛直板部Ｊｖと、その両鉛直板部Ｊｖの中間部間を一体に結合する水平板部Ｊｈとを有する横断面Ｈ字状の枠体より構成されると共に、その水平板部Ｊｈが両鉛直板部Ｊｖの上下方向中間点より下方側にオフセット配置されていて、その水平板部Ｊｈと両鉛直板部Ｊｖの上半部とで第１のジョイントＪ１の樋状部Ｔ１が構成される。一方、横方向に並ぶパネル要素Ｐ相互を結合する第２のジョイントＪ２は、第１のジョイントＪ１として用いる前記横断面Ｈ字状の枠体を上下反転したもので構成されていて、その水平板部Ｊｈと両鉛直板部Ｊｖの上半部とで該第２のジョイントＪ２の樋状部Ｔ２が構成される。
【００４２】
また前記第１実施形態では、支柱１に支持ブラケット２を介してパネル要素Ｐを結合、支持するに当り、支持ブラケット２を、縦方向に並ぶパネル要素Ｐ相互の接続部（即ちジョイントＪ１）の直上に配置して、その縦方向に並ぶパネル要素Ｐを、その両者に跨がるよう支柱１に支持ブラケット２（一対のブラケット半体２ａ）を介して結合、支持したものを示したが、本実施形態では、図１０〜図１３に示すように、３個ある支柱１のうち、中央の支柱１のみ第１実施形態と同様のパネル支持形態とし、その両側の支柱１については、縦方向に並ぶパネル要素Ｐの最外端部だけを支持ブラケット２（一方のブラケット半体２ａ）を介して結合、支持するようにしている。
【００４３】
本第２実施形態のその他の構造は、第１実施形態と同様であるので、第１実施形態と同様の参照符号を付すに留め、それ以上の構造説明を省略する。
【００４４】
而して、本第２実施形態では、基本的には第１実施形態と同様の作用効果を達成可能であり、その上、縦横に配列される複数の金属製パネル要素Ｐ間をジョイントＪ１，Ｊ２で強固に一体的に結合可能となるものである。
【００４５】
しかもこのジョイントには、縦横に配列された４個のパネル要素Ｐのうち横方向に並ぶ２個のパネル要素の隣接端縁ｅ間を結合する第１のジョイントＪ１と、縦方向に並ぶ２個のパネル要素Ｐの隣接端縁ｅ間を結合する第２のジョイントＪ２とが含まれ、それら第１，第２のジョイントＪ１，Ｊ２の樋状部Ｔ１，Ｔ２には高低差が設定されていて、その両ジョイントＪ１，Ｊ２相互の交差部Ｘにおいて高い方の樋状部Ｔ１が低い方の樋状部Ｔ２の真上で途切れているので、第１，第２ジョイントＪ１，Ｊ２が縦横に延びていて相互の交差部Ｘが存在しても、それら第１，第２ジョイントＪ１，Ｊ２の各樋状部Ｔ１，Ｔ２を簡単な構造で支障なく接続可能となる。
【００４６】
その上、第１のジョイントＪ１は、前記被係止部を構成し又は一体に有する左右一対の鉛直板部Ｊｖと、その両鉛直板部Ｊｖの中間部間を一体に結合する水平板部Ｊｈとを有する横断面Ｈ字状の枠体より構成されると共に、その水平板部Ｊｈが両鉛直板部Ｊｖの上下方向中間点より上下一方側にオフセット配置されていて、その水平板部Ｊｈと両鉛直板部Ｊｖの上半部とで該第１のジョイントＪ１の前記樋状部Ｔ１が構成され、第２のジョイントＪ２は、前記横断面Ｈ字状の枠体を上下反転したもので構成されていて、その水平板部Ｊｈと両鉛直板部Ｊｖの上半部とで該第２のジョイントＪ２の前記樋状部が構成されるので、同一構造のＨ字状枠体を第１，第２ジョイントＪ１，Ｊ２に共通に使用可能となり、それだけコスト節減に寄与することができる。
【００４７】
以上、本発明の実施の形態について説明したが、本発明はその実施の形態に限定されることなく、本発明の範囲内で種々の実施の形態が可能である。
【００４８】
たとえば、前記実施形態では、屋外用パネルＰＡ，ＰＢを水平配置したものを示したが、本発明では、水平面に対し多少傾斜させた姿勢で設置してもよい。
【符号の説明】
【００４９】
Ｅ，Ｅ′，Ｅ″・・補強縁枠の外面を覆う端板
ｅ・・・・・相隣なるパネル要素の隣接端縁
ｅ′・・・・パネル要素の外側端面
Ｊ１・・・・ジョイント（第１実施形態）、第１のジョイント（第２実施形態）
Ｊ２・・・・第２のジョイント（第２実施形態）
Ｊｖ・・・・被係止部を構成し又は一体に有する鉛直板部
Ｊｈ・・・・水平板部
ＰＡ・・・・屋外用パネル（第１実施形態）
ＰＢ・・・・屋外用パネル（第２実施形態）
Ｐ・・・・・パネル要素
Ｐ１・・・・上側の矩形状平板
Ｐ２・・・・下側の矩形状平板
Ｐｆ・・・・補強縁枠
Ｐｆｋ・・・係止部
Ｔ１・・・・ジョイント（第１実施形態）、第１のジョイントの樋状部（第２実施形態）Ｔ２・・・・第２のジョイントの樋状部（第２実施形態）
Ｓ・・・・・シール手段
Ｓａ・・・・シール手段を構成するゴムカバー
Ｓｂ・・・・シール手段を構成するＯリング
Ｘ・・・・・第１，第２ジョイント相互の交差部
【図１】
2015040466.tif 000003
【図２】
2015040466.tif 000004
【図３】
2015040466.tif 000005
【図４】
2015040466.tif 000006
【図５】
2015040466.tif 000007
【図６】
2015040466.tif 000008
【図７】
2015040466.tif 000009
【図８】
2015040466.tif 000010
【図９】
2015040466.tif 000011
【図１０】
2015040466.tif 000012
【図１１】
2015040466.tif 000013
【図１２】
2015040466.tif 000014
【図１３】
2015040466.tif 000015
【図１４】
2015040466.tif 000016